(57)【要約】【課題】ＩＣ／磁気カード等を大量に発行でき、メンテナンス性が高く、保守頻度が少ないカードディスペンサーを提供する。【解決手段】ストッカー本体の一端よりウエイト荷重により押圧し、該ストッカー本体の他端のゲートよりゴムローラの駆動によって一枚ずつ排出するカードディスペンサーにおいて、前記ストッカー本体底板の下部に設けられ、該ストッカー本体底板の切り欠き部を介してＩＣ／磁気カード等の最下面と当接するゴムローラーと、該ゴムローラを挿通するゴムローラシャフトと、該ゴムローラシャフトに取り付けられ回動可能な可動板と、該可動板を軸支する可動板取りつけシャフトとからなり、巻きバネ等の付勢手段により前記可動板を介して前記ゴムローラを前記ＩＣ／磁気カード等の最下面から前記ウエイト荷重より低圧にて押圧し、駆動手段により前記ゴムローラを回転させることによって前記ＩＣ／磁気カード等を略水平に排出させる。【選択図】        図１
2006103932.tif 000002
【特許請求の範囲】
【請求項１】
ストッカー本体に収容された複数のＩＣ／磁気カード等を、該ストッカー本体の一端よりウエイト荷重により押圧し、該ストッカー本体の他端のゲートよりゴムローラの駆動によって一枚ずつ排出するカードディスペンサーにおいて、前記ストッカー本体底板の下部に設けられ、該ストッカー本体底板の切り欠き部を介して前期ＩＣ／磁気カード等の最下面と当接するゴムローラーと、該ゴムローラを挿通するゴムローラシャフトと、該ゴムローラシャフトに取り付けられ回動可能な可動板と、該可動板を軸支する可動板取りつけシャフトとからなり、巻きバネ等の付勢手段により前記可動板を介して前記ゴムローラを前記ＩＣ／磁気カード等の最下面から前記ウエイト荷重より低圧にて押圧し、駆動手段により前記ゴムローラを回転させることによって前記ＩＣ／磁気カード等を略水平に排出させることを特徴とするカードディスペンサー。
【請求項２】
前記ゲートは、前記ストッカー本体の他端部に設けられたゲートブロックと、前記ストッカー本体底板とで形成された隙間で構成され、該隙間は前記ＩＣ／磁気カード等の厚みよりやや広いことを特徴とする請求項１記載のカードディスペンサー。
【請求項３】
前記ストッカー本体と、前記カードディスペンサーとが一体に構成されたことを特徴とする請求項１又は２記載のカードディスペンサー。
【発明の詳細な説明】
【技術分野】
【０００１】
本発明は、ＩＣ／磁気カードリーダーライタ等のカードディスペンサーに関するものである
【背景技術】
【０００２】
今日、病院や店舗等あるいは遊技場等においてＩＣ／磁気カード等（以下単にカードという）を使った端末装置が数多く使用されている。前記端末装置は複数のカードをストッカー内に備えており、カードディスペンサーによって一枚ずつカードを排出し、カードの発行等が行われている。
【０００３】
前記カードディスペンサーの構造とカードの流れを図５により、説明すると。カードストッカー本体２に複数収容されたカード４は一端側より金属製ウエイト３により加圧され、他端側の底板１０に設けた切り欠き部（図示せず）より挿入されたゴムローラ５及び樹脂ローラ８と前記カード４の最下面で当接する。前記ゴムローラ５はカードディスペンサー１の筐体に回転可能に軸支され、モータ７により駆動伝達手段（図示せず）を介して回転し、前記カード４の最下面のカード４−１を前記ゴムローラ５の回転によりゲート部１１方向に移動させ、ゲートブロック６と底板１０とで形成されるゲート部１１より排出させる。カードストッカー本体２に収容されたカード４が無くなると、カード有り無し検知スイッチ９により感知され、図示しない警報ランプなどを点灯させ警報を発する。
【０００４】
しかしながら、上記従来のカードディスペンサー１においては、カード４を排出する際にゴムローラ５とゲート部１１の間でカード４が撓んで底板１０と接触したまま移動しゲート部１１を通過するものであり、カードの厚みも０．２６ｍｍ前後の薄いものがほとんどであった。ところが厚さ０．７６ｍｍのカードの場合腰が強いため、カード４が前記ゲート部１１を通過する際に、カード４が撓まずゲートブロック６と接触し、ゲートブロック６表面に沿って接触したまま移動するためカード４の表面に傷が付く惧れがある。しかもカード４がゲートブロック６表面に沿って接触したまま移動する際にゲートブロック６やウエイト３を押し上げる力が生じ、異常音が発生したりカードディスペンサー本体１に故障を生じる危険性もある。また、カード４を大量に排出することによって、ゴムローラ５に摩擦による磨耗が生じゴムローラ５の径が減少し、カード４を押圧する力が低下するだけでなく接触しないという事故も発生するため、例えばカードを５万枚発行処理する度にゴムローラ５を交換する必要があった。
【０００５】
従来のこれらの問題点を解決するために、カードディスペンサーの引き出し側に、カードディスペンサーに収容された各カードを支持する回転自由の支持ローラと、引き出し側の最前位のカードを吸着する吸着部と、これを移動する移動機構とを設け、かつ、複数の弾性羽根がホッパーに収容された各カードの側面に摺動接触し、密着した各カードを互いに微小な間隔に分離させる羽根車と、分離した各カードの微小な間隔にエアを吹き込んで、分離状態を維持するエア噴出部とを設けて構成された磁気カードのピックアップ機構が提案されている（特許文献１参照。）。
【特許文献１】特開平６−１００１８６号公報
【発明の開示】
【発明が解決しようとする課題】
【０００６】
しかしながら、上記特許文献１に提案されている磁気カードのピックアップ機構の場合、カードの搬送用ローラなどの搬送機構以外に複数の弾性羽根やエア噴出機構などの付帯設備を必要とするため装置が大きなものとなり、しかも高コストとなるものである
【０００７】
本発明は、上記の問題点に鑑みなされたもので、ゴムローラを早期に交換せずに長期間使用でき、しかもカードを略水平に搬出することにより傷等を付けることなく、またカード通過時の異常音やカードデイスペンサー本体に故障を生じさせることもなく、さらに装置の大きさも小さく安価なカードディスペンサーを提供する。
【課題を解決するための手段】
【０００８】
このため本発明では、ストッカー本体に収容された複数のカード等を、該ストッカー本体の一端よりウエイト荷重により押圧し、該ストッカー本体の他端のゲートよりゴムローラの駆動によって一枚ずつ排出するカードディスペンサーにおいて、前記ストッカー本体底板の下部に設けられ、該ストッカー本体底板の切り欠き部を介して前記カード等の最下面と当接するゴムローラと、該ゴムローラを挿通するゴムローラシャフトと、該ゴムローラシャフトに取り付けられ回動可能な可動板と、該可動板を軸支する可動板取りつけシャフトとからなり、巻きバネ等の付勢手段により前記可動板を介して前記ゴムローラを前記カード等の最下面から前記ウエイト荷重より低圧にて押圧し、駆動手段により前記ゴムローラを回転させることによって前記カード等を略水平に排出させることを第１の特徴とする。
【０００９】
また、前記ゲートは、前記ストッカー本体の他端部に設けられたゲートブロックと、前記ストッカー本体底板とで形成された隙間で構成され、該隙間は前記カード等の厚みよりやや広いことを第２の特徴とする。
【００１０】
そして、前記ストッカー本体と、前記カードディスペンサーとが一体に構成されたことを第３の特徴とする。
【発明の効果】
【００１１】
本発明に係るカードディスペンサーによれば、カードリーダーライタで大量のカード等を発行しても、ゴムローラが巻きバネ等の付勢手段により前記カードの最下面から前記ウエイト荷重より低圧にて押圧するため、ゴムローラに摩擦による磨耗が生じてゴムローラの径が減少しても、前記カードとゴムローラとが接触しないという事故が生じることがなく一定の圧力を前記カードにかけることができるため、長期間ゴムローラを交換せずに使用できるという優れた効果を有する。
【００１２】
また、ゴムローラをカードの最下面から前記ウエイト荷重より低圧にて押圧し、駆動手段により前記ゴムローラを回転させることによって前記カードを略水平に排出させることができ、さらにゲートブロックと前記ストッカー本体底板とで形成されたカードの厚みよりやや広いゲートを通過させるため、前記カード表面に傷等を付けることがなく、しかも異常音が発生せずカードデイスペンサー本体に故障を生じないという優れた効果を有する。
【００１３】
しかも、前記ストッカー本体と、前記カードディスペンサーとが一体に構成されているため、装置がコンパクトであり、またエア噴出部などの付帯設備を必要としないために安価であるという効果がある。
【発明を実施するための最良の形態】
【００１４】
以下、本発明を実施するための最良の形態を図面に示す実施例に基づいて説明するが、本発明が本実施例に限定されないことは言うまでもない。図１は本発明に係るカードディスペンサー取り付けたカードリーダーライタの一実施例を示す斜視図である。図２は本発明に係るカードデイスペンサーの構造を示す斜視図である。図３は本発明に係るカードデイスペンサーの斜視説明図である。図４は本発明に係るカードディスペンサーを説明する右側面断面図である。図５は従来のカードディスペンサーを説明する右側面断面図である。
【実施例】
【００１５】
図１に示すように、本発明に係るカードディスペンサー１は、カードリーダーライタ部１００に取り付けられカードリーダーライタ１０１として構成され使用される。
【００１６】
図２および図３により、更に詳細に説明すると、カードディスペンサー１はカードディスペンサー本体１１１とストッカー本体２とから構成されており、ストッカー本体２には多数のカード４を収容できるステンレス製の立方体形状の筐体で、カード４の上方から金属製ウエイト３によって加圧されるように構成されている。また、ストッカー本体２の底板１０には切り欠き部１２が設けられ後述するゴムローラ５及び樹脂ローラ８が挿入される。そしてストッカー本体２のカード排出部（ゲート部）１１には底板１０に対向して５角柱形状の金属製ゲートブロック６が設けられ、カード４の厚みの略１．５倍の隙間が調節可能に形成されている。カードディスペンサー本体１１１は対向する２枚の金属板からなり、固定用シャフト１６により固定されストッカー本体２が装脱着可能に構成されている。固定用シャフト１６の近傍には可動板取り付け用シャフト１７が取り付けられ、コの字に形成された金属製の可動版１５の一端側が可動板取り付け用シャフト１７の略中央部に挿通され回動可能とされ、巻きバネ１４が可動板取り付け用シャフト１７の略中央部に取り付けられ可動板１５を付勢する。尚、巻きバネ１４の付勢圧は前記ウエイト３の荷重圧より低圧とされている。また可動板１５の他端側にはゴムローラシャフト１３が挿通され可動板１５を挟持してゴムローラ５が取り付けられている。さらに可動板取り付け用シャフト１７の上方には樹脂ローラ８が固定用シャフト１６に回転可能に取り付けられ、ゴムローラ５の回転によるカード４の移動を補助する。そしてゴムローラシャフト１３はカードディスペンサー本体１１１に設けられたゴムローラシャフト係合部（図示せず）から延出し、一端部はベルトプーリ１８が取り付けられベルト１９・テンションローラ２０を介してモータ７と連結されている。尚本実施例においては上記カードディスペンサー本体１１１とストッカー本体２が各々独立して構成されているが、カードディスペンサー本体１１１とストッカー本体２が一体に構成されたものであってもよい。
【００１７】
次に、カード４の排出状態を図３により説明すると、多数のカード４が収容されたストッカー本体２はカードディスペンサー本体１１１に挿入され、ストッカー保持手段（図示せず）により保持される。ストッカー本体２に収容され、ウエイト３で加圧されたカード４は前記樹脂ローラー８及びゴムローラ５とカード４の最下面で当接する。この際可動板１５は巻きバネ１４により付勢されているため、可動板１５と連結するゴムローラ５も付勢されカード４の最下面をウエイト３より低圧で押圧する。したがってゴムローラ５はストッカー本体２の底板１０表面から上方に突出することがない。モータ７の回転がベルトプーリ１８を介してゴムローラ５に伝達され、ゴムローラ５と当接する最下面のカード４−１がゲート部１１へ移動する。この際カード４−１は略水平に搬送されしかもゲート部１１の隙間はカード４−１の厚みの略１．５倍に設定されており、ゲートブロック６と接触することがなくカード４−１表面に傷が付くことがなく、またカード４−１がゲートブロック６と接触することで発生する異常音も出ずカードディスペンサー本体１１１に故障を生じることもない。
【００１８】
カードディスペンサー１からカード４が大量に排出されると、前記ゴムローラ５は摩擦によって表面が磨耗しゴムローラ５の径が小さくなるが、前記巻きバネ１４による付勢によって常に最下面のカード４−１を押圧する位置に支持されるため、ゴムローラ５の接触不良による事故等が低減し、しかもゴムローラ５を交換する頻度も低下する。
【００１９】
以上、本発明によるカードディスペンサーによれば、カードリーダーライタ等に用いられ大量のカード等を発行処理することができる。また該発行処理の際に生じるカード表面の傷を防止でき、異常音の発生やカードディスペンサー本体の故障も出ず、発行処理に伴うゴムローラなどの交換頻度が少なくて済むためメンテナンスがし易い。さらに、構造がシンプルであり付帯設備なども不要であるため装置も小さくて済み、安価である。
【図面の簡単な説明】
【００２０】
【図１】本発明に係るカードディスペンサーを取り付けたカードリーダーライタの一実施例を示す斜視図である。
【図２】本発明に係るカードディスペンサーの構造を示す斜視図である。
【図３】本発明に係るカードディスペンサーの斜視説明図である。
【図４】本発明に係るカードディスペンサーを説明する右側面断面図である。
【図５】従来のカードディスペンサーを説明する右側面断面図である。
【符号の説明】
【００２１】
１                  カードディスペンサー
２                  ストッカー本体
３                  ウエイト
４、４−１          カード
５                  ゴムローラ
６                  ゲートブロック
７                  モータ
８                  樹脂ローラ
９                  カード有り無し検知スイッチ
１０                  底板
１１                  ゲート部
１２                  切り欠き部
１３                  ゴムローラシャフト
１４                  バネ
１５                  可動板
１６                  固定用シャフト
１７                  可動板取り付け用シャフト
１８                  ベルトプーリ
１９                  ベルト
２０                  テンションローラ
１００                カードリーダーライタ部
１０１                カードリーダライタ
１１１                カードディスペンサー本体
【図１】
2006103932.tif 000003
【図２】
2006103932.tif 000004
【図３】
2006103932.tif 000005
【図４】
2006103932.tif 000006
【図５】
2006103932.tif 000007